(57)【特許請求の範囲】
【請求項１】
美容器具本体に設けられて皮膚に接触可能なヘッド面と、上記美容器具本体に設けられ、該美容器具本体が手によって把持された際に該手に接触可能な電極と、上記ヘッド面と電極とに接続され、両者間に直流電流を流すイオントフレーゼ回路と、基部を上記美容器具本体に軸を介して揺動可能に取付けたローラアームと、このローラアームの先端部に設けた一対のローラと、この一対のローラ間に微少な交流電流を流すマイクロカレント回路と、上記美容器具本体に着脱自在に設けられるとともに上記ヘッド面を覆って設けられるコットンを該美容器具本体に保持するキャップとを備え、
上記ローラアームは上記軸を挟んで上記ローラの反対側に突起を備え、
上記キャップは上記ローラアームの軸の略半分を収容する半円部と、半円部の輪郭に沿って形成された係合溝とを備え、
上記ローラアームは、上記一対のローラを上記ヘッド面の前方に位置させて該一対のローラを皮膚に接触可能な状態とするセット位置と、上記一対のローラを上記ヘッド面の前方から後退させて該ヘッド面を皮膚に接触可能な状態とする後退位置と、上記美容器具本体とキャップとを係合させる係合位置とに移動させ、
上記ローラアームの軸およびキャップの半円部とは、ローラアームが上記係合位置に位置された際に相互に係合可能又は離脱可能となっており、軸および半円部とが係合した状態で上記ローラアームを係合位置から後退位置に移動させると、上記突起が上記係合溝に係合して上記キャップが美容器具本体に固定されることを特徴とする美容器具。
【請求項２】
上記美容器具本体は、手によって把持される把持部と、この把持部の端部から斜め前方に屈曲して突出する突出部とを備え、この突出部と上記把持部との連続部分のうち、該突出部が突出する前方とは反対となる後方側において、上記突出部よりも把持部が後方側に突出する段部が形成されており、
また上記突出部の先端部に上記ヘッド面が設けられるとともに、上記ローラアームの基部は上記把持部と突出部との連続部分で上記美容器具本体に揺動可能に取付けられており、
さらに上記ローラアームは後退位置となった際に上記一対のローラを突出部側から上記段部の端面に隣接させることを特徴とする請求項１に記載の美容器具。
【発明の詳細な説明】
【０００１】
【発明の属する技術分野】
本発明は美容器具に関し、より詳しくは、皮膚に直流電流を流すイオントフレーゼ回路と交流電流を流すマイクロカレント回路とを備えた美容器具に関する。
【０００２】
【従来の技術】
従来、美容器具として、皮膚に直流電流を流すイオントフレーゼ回路を備えたものが知られている。この美容器具は、美容器具本体に設けられて皮膚に接触可能なヘッド面と、上記美容器具本体に設けられ、該美容器具本体が手によって把持された際に該手に接触可能な電極と、上記ヘッド面と電極とに接続され、両者間に直流電流を流すイオントフレーゼ回路とを備えている。
そして上記ヘッド面に上記電極を基準として直流の−電圧を供給した際には、＋イオンを持った皮膚下層の不純物を体外に排出する導出効果が得られる。これとは逆に、上記ヘッド面に直流の＋電圧を供給した際には導入効果が得られ、この場合には、上記ヘッド面に美容効果のある成分をもった美容液を含ませたコットンを設けておけば、上記電流の作用により美容液が肌に浸透して美容効果を促進する働きが得られる。
【０００３】
また従来、その他の美容器具として、皮膚に微少な交流電流を流すマイクロカレント回路を備えたものが知られている。この美容器具は、美容器具本体に設けた一対のローラと、この一対のローラ間に微少な交流電流を流すマイクロカレント回路とを備えている。
そして上記一対のローラ間に微少な交流電流を流すことにより、皮膚細胞の活性化を促進し、肌のはりや艶を増す効果が得られる。
【０００４】
【発明が解決しようとする課題】
従来、上記各美容器具はそれぞれ別個に構成されており、両方の美容器具を揃えるには高価となり、またそれぞれの収容スペースが必要であった。
本発明はそのような事情に鑑み、各美容器具を１台の美容器具としてまとめることにより、安価に製造することができ、かつ収容スペースの効率化を図ることができるようにしたものである。
【０００５】
【課題を解決するための手段】
すなわち本発明の美容器具は、美容器具本体に設けられて皮膚に接触可能なヘッド面と、上記美容器具本体に設けられ、該美容器具本体が手によって把持された際に該手に接触可能な電極と、上記ヘッド面と電極とに接続され、両者間に直流電流を流すイオントフレーゼ回路と、基部を上記美容器具本体に軸を介して揺動可能に取付けたローラアームと、このローラアームの先端部に設けた一対のローラと、この一対のローラ間に微少な交流電流を流すマイクロカレント回路と、上記美容器具本体に着脱自在に設けられるとともに上記ヘッド面を覆って設けられるコットンを該美容器具本体に保持するキャップとを備え、
上記ローラアームは上記軸を挟んで上記ローラの反対側に突起を備え、
上記キャップは上記ローラアームの軸の略半分を収容する半円部と、半円部の輪郭に沿って形成された係合溝とを備え、
上記ローラアームは、上記一対のローラを上記ヘッド面の前方に位置させて該一対のローラを皮膚に接触可能な状態とするセット位置と、上記一対のローラを上記ヘッド面の前方から後退させて該ヘッド面を皮膚に接触可能な状態とする後退位置と、上記美容器具本体とキャップとを係合させる係合位置とに移動させ、
上記ローラアームの軸およびキャップの半円部とは、ローラアームが上記係合位置に位置された際に相互に係合可能又は離脱可能となっており、軸および半円部とが係合した状態で上記ローラアームを係合位置から後退位置に移動させると、上記突起が上記係合溝に係合して上記キャップが美容器具本体に固定されることを特徴とするものである。
【０００６】
上記構成によれば、上記ローラアームをセット位置とした際には、上記一対のローラは上記ヘッド面の前方に位置するようになり、したがって該一対のローラを皮膚に接触させた状態でマイクロカレント回路によりその一対のローラ間に微少な交流電流を流すことにより、皮膚細胞の活性化を促進し、肌のはりや艶を増す効果を得ることができる。
他方、上記ローラアームを揺動させて後退位置とした際には、上記一対のローラは上記ヘッド面の前方から後退するようになるので、該ヘッド面を皮膚に接触させることができ、その状態でイオントフレーゼ回路により上記ヘッド面と電極とに直流電流を流せば、導出効果や導入効果を得ることができる。
したがって本発明によれば、１台の美容器具で従来の２台の美容器具を兼用することができるので、別個に製造するよりも安価に製造することができ、また収容スペースの効率化も図ることができる。
【０００７】
【発明の実施の形態】
以下図示実施例について本発明を説明すると、図１、図２において、美容器具１は美容器具本体２と、この美容器具本体２に設けられて皮膚に接触可能なヘッド面３と、それぞれの基部を軸４を介して上記美容器具本体２に揺動可能に取付けた左右一対のローラアーム５Ａ、５Ｂと、このローラアーム５Ａ、５Ｂの先端部間に設けられてそれぞれ皮膚に接触可能な一対のローラ６Ａ、６Ｂとを備えている。
上記美容器具本体２は、手によって把持される把持部２Ａと、この把持部の上端部から斜め前方に屈曲して突出する突出部２Ｂとを備えており、この突出部２Ｂの先端部に導電性ゴムからなる上記ヘッド面３が設けられている。
また、上記把持部２Ａの両側面に、該把持部２Ａが手によって把持された際に該手に接触可能なアース用の電極１１（図２参照）を設けてあり、この電極１１と上記ヘッド面３とに接続したイオントフレーゼ回路１２を上記美容器具本体２内に設けている。このイオントフレーゼ回路１２は、前述したように、上記ヘッド面３と電極１１との間に直流電流を流すことができるようになっている。
【０００８】
次に、上記一対のローラアーム５Ａ、５Ｂは美容器具本体２に対して一体的に揺動できるようになっており、ローラアーム５Ａ、５Ｂを図２に示すセット位置に位置させた際には、ローラアーム５Ａ、５Ｂの先端部間に設けた一対のローラ６Ａ、６Ｂはヘッド面３の前方に位置するようになり、この状態では該一対のローラ６Ａ、６Ｂは皮膚に接触可能な状態となっている。
そしてこの状態で、美容器具本体２内に収容したマイクロカレント回路１３により一対のローラ６Ａ、６Ｂ間に微少な交流電流を流すことができるようになっている。
【０００９】
なお図１に示すように、上記美容器具本体２の前面にはパワースイッチ１４を設けてあり、このパワースイッチ１４を押す回数により、順次、マイクロカレント回路１３をオン、上記ヘッド面３に電極１１を基準として直流の−電圧を供給するようにイオントフレーゼ回路１２をオン、上記ヘッド面３に電極１１を基準として直流の＋電圧を供給するようにイオントフレーゼ回路１２をオン、両回路１２、１３をオフの状態に切換えることができるようになっている。
また上記パワースイッチ１４の上方に出力レベルスイッチ１５を設けてあり、この出力レベルスイッチ１５を押す回数により各回路１２、１３の出力をそれぞれ３段階に変更することができるようになっている。
そして各スイッチ９、１０の状態は、美容器具本体２の前面に設けた複数のＬＥＤ１６によって確認することができるようにしてある。
【００１０】
上記ローラアーム５Ａ、５Ｂは、図２ないし図４に示すように、図２で示すセット位置から約９０度時計方向に回転させた図３で示す係合位置と、さらにそこから約９０度時計方向に回転させた図４で示す後退位置とに順次揺動回転させ、またその逆に回転させることができるようにしてある。
図３で示す係合位置は、キャップ２０を美容器具本体２に着脱するための位置で、このキャップ２０は、上記ヘッド面３を覆うように設けられるコットン２１を上記美容器具本体２に保持するためのものである。
上記キャップ２０は、上記突出部２Ｂの前方外周部分を覆うように楕円の筒状に形成してあり、該キャップ２０を前方側から突出部２Ｂに被せた際に上記軸４との干渉を避けるために、その両側に切欠き部２２をそれぞれ形成してある。
【００１１】
図５に示すように、上記切欠き部２２の入り口側は幅広部２２Ａに、奥側は上記軸４の半分を収容することができる幅狭の半円部２２Ｂに形成してあり、この半円部２２Ｂ内に相対的に上記軸４が挿入されることにより、美容器具本体２に対してキャップ２０が位置決めされるようになっている。
そして上記各ローラアーム５Ａ、５Ｂの内側には、軸４を中心として上記ローラ６Ａ、６Ｂとは反対側位置に突起２３（図１参照）をそれぞれ設けてあり、上記幅広部２２Ａの幅は、ローラアーム５Ａ、５Ｂを図３で示す係合位置に位置させた状態でも、すなわち切欠き部２２の長手方向に対して突起２３が直交する位置に位置している状態でも、その突起２３がキャップ２０に干渉することが無い幅に設定してある。
さらに図５に示すように、上記キャップ２０の表面には、上記半円部２２Ｂの輪郭に沿って半円形の係合溝２４を形成してあり、この係合溝２４の両端部は上記幅広部２２Ａ内に開口して、その開口部から上記突起２３が係合溝２４内に進入するのを許容するようになっている。
上記切欠き部２２や係合溝２４はキャップ２０の中央部位置に設けてあり、キャップ２０をその軸心を中心として１８０度回転させた状態としても、いずれの向きでも該キャップ２０を美容器具本体２に取付けることができるようにしてある。
【００１２】
さらに図４に示す上記後退位置は、上記一対のローラ６Ａ、６Ｂを上記ヘッド面３の前方から充分に後退させて該ヘッド面３を皮膚に接触可能な状態とすることができるようになっている。
このとき、上記美容器具本体２の把持部２Ａと突出部２Ｂとが連続する連続部分のうち、この突出部２Ｂが把持部２Ａから突出する前方とは反対となる後方側において、上記突出部２Ｂよりも把持部２Ａが後方側に突出して両者間に段部２Ｃが形成されている。
そして上記ローラアーム５Ａ、５Ｂの基部は上記把持部２Ａと突出部２Ｂとの連続部分で上記美容器具本体２に揺動可能に取付けてあり、それによって上記ローラアーム５Ａ、５Ｂを図４で示す後退位置に位置させた際には、上記一対のローラ６Ａ、６Ｂを突出部２Ｂ側から上記段部２Ｃの端面に隣接させるようにしている。
これにより、一対のローラ６Ａ、６Ｂが美容器具本体２から外方に突出するのを可及的に防止することができるので、ヘッド面３を使用する際に一対のローラ６Ａ、６Ｂが邪魔になるのを可及的に防止することができる。
【００１３】
以上の構成において、美容器具１をマイクロカレント機能を備えた美容器具として用いる際には、上記ローラアーム５Ａ、５Ｂを図２に示すセット位置に位置させて一対のローラ６Ａ、６Ｂを上記ヘッド面の前方に位置させればよい。
この状態でパワースイッチ１４を操作してマイクロカレント回路１３をオンとするとともに、出力レベルスイッチ１５を操作してその出力を好みの出力に調整する。そしてこの状態で一対のローラ６Ａ、６Ｂを皮膚に接触させれば、一対のローラ６Ａ、６Ｂ間に流れる微少な交流電流により、皮膚細胞の活性化を促進し、肌のはりや艶を増す効果が得られる。
【００１４】
次に、上記美容器具１をイオントフレーゼ機能を備えた美容器具として用いる際には、先ず上記ローラアーム５Ａ、５Ｂを図３に示す係合位置に位置させ、この状態でヘッド面３にコットン２１を被せるとともに、このコットン２１の上からキャップ２０を美容器具本体２の突出部２Ｂに被せて、軸４を相対的に切欠き部２２の半円部２２Ｂ内に位置させる。
これにより、ローラアーム５Ａ、５Ｂに設けた各突起２３が切欠き部２２の幅広部２２Ａ内に相対的に挿入されるとともに、キャップ２０の表面に形成した係合溝２４内に係合できるようになる。
この状態となったら、上記ローラアーム５Ａ、５Ｂを図４で示す後退位置まで回転させると、上記各突起２３は係合溝２４内に係合してその中央部に進入するようになり、上記ローラアーム５Ａ、５Ｂが後退位置となった状態では各突起２３と係合溝２４との係合状態が保持されて、上記キャップ２０およびコットン２１を美容器具本体２に固定することができる。
そしてこの状態となれば、上記美容器具１を従来公知のイオントフレーゼ機能を備えた美容器具と同様に用いることができる。
【００１５】
なお、美容器具１をイオントフレーゼ機能を備えた美容器具からマイクロカレント機能を備えた美容器具に切換える際には、上記ローラアーム５Ａ、５Ｂを図４で示す後退位置から図３に示す係合位置に位置させてキャップ２０とコットン２１とを取り外し、さらにローラアーム５Ａ、５Ｂを図２で示すセット位置に位置させればよいことは勿論である。
また、上記突起２３をキャップ２０に設けるとともに、ローラアーム５Ａ、５Ｂに該突起２３に係合する係合溝２４を設けてもよく、或いは突起２３や係合溝２４によらず、ネジや凹凸の係合部などの手段によりキャップ２０を美容器具本体２に着脱自在に設けるようにしてもよい。
【００１６】
【発明の効果】
以上のように、本発明によれば、１台の美容器具でイオントフレーゼ機能を備えた美容器具とマイクロカレント機能を備えた美容器具とに切換えて使用することができ、したがってそれら機能を有する美容器具を別個に製造するよりも安価に製造することができ、また収容スペースの効率化も図ることができるという効果が得られる。
【図面の簡単な説明】
【図１】本発明の一実施例を示す正面図。
【図２】図１の側面図。
【図３】図２と異なる状態を示す側面図。
【図４】図２、図３とは異なる状態を示す側面図。
【図５】キャップ２０の側面図。
【符号の説明】
１  美容器具            ２美容器具本体
２Ａ  把持部            ２Ｂ  突出部
３  ヘッド面            ５Ａ、５Ｂ  ローラアーム
６Ａ、６Ｂ  ローラ      １１  電極
１２  イオントフレーゼ回路
１３  マイクロカレント回路
２０  キャップ          ２１  コットン
２３  突起              ２４  係合溝
【図１】
0004066626.tif 000002
【図２】
0004066626.tif 000003
【図３】
0004066626.tif 000004
【図４】
0004066626.tif 000005
【図５】
0004066626.tif 000006